(57)【要約】      （修正有）【課題】基材シートとダニ顕示試料を含んだ粘着シートでダニを捕獲し、発色したダニを自動的に検出し、且つ画像処理を行って計測統計収集データ処理を行い結果も表示するダニ類の捕獲および検出計測装置を提供する。【解決手段】基材シート１１、ダニ顕示試料１２を含んだ粘着シート、およびダニ誘引剤１２１で構成されたダニ捕獲顕示具を備える。また、粘着シートの上方に、捕獲されたダニを読取るビデオ映像装置を配置する。ビデオ映像装置は、粘着シートと顕示（発色した）ダニの相対的色差から背景映像の諧調処理を行って、捕獲したダニの統計データを計算処理し且つ計算結果を表示する。【選択図】図１
0003216002.tif 000002
【実用新案登録請求の範囲】
【請求項１】
屋内塵性ダニ類を捕獲して検出計測するための装置であって、屋内塵性ダニ類装置の捕獲および検出計測が、基材シートに接着した粘着シートの上に捕獲した屋内塵性ダニ類によって色が変わる薄膜層（フイルム）を含んだ接着層と、該接着シート画像を読取るダニ検出計測装置と組合せたことを特徴とする装置。
【請求項２】
前記接着シートの上に着脱自在に配置されたメッシュ層をさらに含む、請求項１に記載の屋内塵性ダニ類の捕獲および検出計測装置。
【請求項３】
前記メッシュ層がネットまたはガーゼであることを特徴とする、請求項２に記載の屋内塵性ダニ類の捕獲および検出計測装置。
【請求項４】
屋内塵性ダニ類の誘引餌層をさらに備える、請求項１に記載の屋内塵性ダニ類の捕獲および検出計測装置。
【請求項５】
前記誘引餌層がメッシュ層の上に配置されていることを特徴とする請求項３または４に記載の屋内塵性ダニ類の捕獲および検出計測装置。
【請求項６】
前記誘引餌層が接着剤層内に配置されていることを特徴とする請求項３または４に記載の屋内塵性ダニ類の捕獲および検出計測装置。
【請求項７】
前記誘引餌層が、酵母、果実酵素、香料、砂糖、デンプン、チョコレート、干魚、動物飼料、群フェロモンまたはそれらの混合物であることを特徴とする請求項４に記載の屋内塵性ダニ類の捕獲および検出計測装置。
【請求項８】
請求項１に記載の基材が、紙、布、不織布、合成板、フィルム、木材、合成樹脂またはプラスチックなどの材料で形成されていることを特徴とする請求項１に記載の屋内塵性ダニ類の捕獲および検出計測装置。
【請求項９】
請求項１に記載の粘着シートの接着剤が、合成接着剤または天然ゴムである接着剤であることを特徴とする請求項１に記載の屋内塵性ダニ類の捕獲および検出計測装置
【請求項１０】
請求項１に記載の接着シート画像を読取るダニ検出計測装置の撮像する撮像手段が、撮影機能付きスマートフォン、撮影機能付きタブレットコンピュータ、撮影機能を備えたコンピュータ、スキャナまたは撮影機能を備えたノートパソコンとデスクトップパソコンであることを特徴とする請求項１に記載の屋内塵性ダニ類の捕獲および検出計測装置
【請求項１１】
請求項１に記載の接着シートが天然染料と水とを混合することで色が変わる薄膜層で構成したことを特徴とする請求項１に記載の屋内塵性ダニ類の捕獲および検出計測装置
【請求項１２】
請求項１０に記載の接着シート画像を読取るダニ検出計測装置に画像解析識別ソフトウェアが搭載されていることを特徴とする請求項１に記載の屋内塵性ダニ類の捕獲および検出計測装置。
【請求項１３】
前記画像解析識別ソフトウェアがモバイルアプリケーション（ＡＰＰ）であることを特徴とする、請求項１２に記載の屋内塵性ダニ類の捕獲および検出計測装置。
【請求項１４】
前記モバイルアプリケーションの機能が請求項１に記載の接着シートによって発色捕獲した屋内塵性ダニ類の計測統計結果と座標表示結果を提示することを特徴とした請求項１３に記載の屋内塵性ダニ類の捕獲および検出計測装置。
【請求項１５】
屋内塵性ダニ類を捕獲し検知計測する別の組合せとして、使用した接着シートに別途着色剤を用意塗布して屋内塵性ダニ類を発色させることを特徴とする請求項１に記載の屋内塵性ダニ類の捕獲および検出計測装置。
【請求項１６】
前記着色剤の組成物が、アミンブラック、ジメチルアセトアミド、天然架橋剤、ヨウ素、ロイコクリスタルバイオレット、インデン、トリアン、オスミウム、スーダンブラック、１，８−ジアゼピン−９−フルオレノン、１，２−インダンジオン及び５−メチルチオインダノンを特徴とする請求項１５に記載の屋内塵性ダニ類の捕獲および検出計測装置。
【請求項１７】
前記着色剤が、液状又はゼラチン状の液体であることを特徴とする請求項１５に記載の屋内塵性ダニ類の捕獲および検出計測装置。
【請求項１８】
請求項１５記載の屋内塵性ダニ類捕獲し検知計測する別の組合せに使用済みダニ装置の片面あるいは両面に貼付された透明基材をさらに含む、請求項１５に記載の屋内塵性ダニ類の捕獲および検出計測装置。
【考案の詳細な説明】
【技術分野】
【０００１】  本考案は、屋内塵性ダニ類用の装置、特に積極的にダニを誘引するための餌を使用して検出するダニ発色捕獲シートと直接肉眼を使用してダニの観察をするか、上記ダニを収集するための画像読取装置および画像解析識別ソフトウェアの使用することにより上記ダニを明確に確認することができ、統計結果表示を行えるにしたものである。
【背景技術】
【０００２】  学名のヤケヒョウヒダニはクモの節足動物属で約３００ミクロンの大きさである。主要な種として家庭（コナヒョウヒダニ）と欧州イエダニ（ヤケヒョウヒダニ）におけるアメリカのハウスダストダニがある。ダニの分泌物、排泄物、等による人体への影響は、容易にくしゃみヒト喘息、鼻水、鼻づまり、アレルギー反応、アレルギー性結膜炎、またはアトピー性皮膚炎、ヒトの発生をもたらし、空気中に拡散される最も重要なアレルギー因子の１つである。【０００３】  ダニアレルギーは、定期的に主要な環境をきれいにすることで予防されますが、ダニの予防の考案として中国台湾実用新案出願番号１００２２３３４３が考案されています。上記考案はダニ寝具のベッドセットの寝具、マットレスでダニの付着を防止する微小細孔と、保護カバーが設けられています。
また、中国台湾実用新案出願番号第１０３２１３９７８号は、真空掃除機のホースや吸引口にフィルタアセンブリとしてフィルターをかけました。しかしながら、ダニ吸盤の特殊な足を持ち、又は容易に除去することが困難です。
しかも、小さいので、特別な処理をせずに直接肉眼で観察するのは不可能であり、その捕獲効果をその場で知ることができなかった。
【先行技術文献】
【特許文献】
【０００４】
【特許文献１】ＴＷＭ４２７８６６（台湾公開実用新案）
【特許文献２】ＴＷＭ４９３９７２（台湾公開実用新案）
【考案の概要】
【考案が解決しようとする課題】
【０００５】  肉眼では、観察することのできない屋内塵性ダニ類を誘引餌で積極的に捕獲し、天然発色剤で発色させ、スマホ等で撮影し捕獲数を統計計測することにより前述の欠点を解決しようとするものである。
【課題を解決するための手段】
【０００６】  本考案は、ベースの基材シート上に粘着シートを接着し、更にその上に屋内塵性ダニ類に発色する着色剤の層を設け、その発色したダニを誰もが所有するスマホなどで粘着シートの画像を撮影することにより問題点を解決している。
【考案の効果】
【０００７】  本考案によれば、本考案の屋内塵性ダニ類の捕獲および検出計測装置は、居住環境に存在するダニを積極的に誘発し、直接的に肉眼で観察することができ、あるいは、撮像装置と画像認識ソフトウェアを用いてカウントすし、捕獲の結果をその場でより明確に確認するのに役立つ。
【図面の簡単な説明】
【０００８】
【図１】本考案の第１実施形態の全体概略図である。
【図１ａ】本考案の第１の実施形態によるメッシュ層を有する全体構造の概略図である。
【図１ｂ】本考案の一実施形態による接着剤表面コーティングおよび着色フィルム層を有する全体的な接着剤層構造の概略図である。
【図１ｃ】本考案の第１の実施形態の誘引層と接着剤層の全体構造の概略図である。
【図１ｄ】本考案の第１の実施形態において、メッシュ層上に配置された誘引層の全体構造の概略図である。
【図２】本考案の第１の実施形態の例示的な概略図である。
【図３】本考案の第２実施形態の全体概略図である。
【図３ａ】本考案の第３の実施形態によるメッシュ層を有する全体構造の概略図である。
【図３ｂ】本考案の第３の実施形態の誘引層と接着剤層の全体構造の概略図である。
【図３ｃ】本考案の第３の実施形態に配置された誘引層の全体構造の概略図である。
【図４】本考案の第２実施形態の模式図である。
【図５】本考案の第３実施形態に係るダニ除去装置及びダニ殺傷結果検出キットを示す図である。
【図６ａ】本考案の第３の実施形態の染色前のダニの模式図である。
【図６ｂ】本考案の第３の実施形態の染色後のダニの模式図である。
【考案を実施するための形態】
【実施例１】
【００１０】  図１に示すように、本発明の１の実施形態に係る屋内塵性ダニ類の捕獲および検出計測装置装１は、少なくとも基板１１と、粘着層１２と、撮像装置２とを備えた餌層と併用される。接着層１２を基板１１の上方に設け、撮像素子２を用いて接着層の画像を撮像し、画像に階調処理を施し、最後に画像の背景を除去する場合には、  ダストダニの数を統計します。
本発明の第１の実施形態によるダストダスト装置１の捕捉及び検出は、接着剤層１２の上に配置され、接着剤層１２内のダストダストギャザーを引き付けるメッシュ層１３をさらに含むことができる図１ａに示すように、直接除去した後。  ここで、メッシュ層１３はメッシュまたはガーゼであってもよい。
上記基板１１は、紙、布、不織布、合成板、フィルム、合成板、木材、プラスチックなどの材料で形成することができる。
前述の接着剤層１２は、接着剤接着剤表面層１２ａを含み、接着剤は、合成接着剤または天然ゴムであり得る。接着剤層１２はまた、接着剤層と塵埃の色を異なる色にするように作用する、接着剤の接着剤表面層１２ａの下に配置された着色フィルム層１２ｂを含む。図１ｂに示すように。
上記の誘引層は、酵母、果物の酵素、香辛料、糖類、デンプン、チョコレート、干魚、動物飼料、フェロモンまたはフェロモンであってもよい。そして、図１ｃに示すように、誘引層を接着剤層１２に直接混合することができる。  または、図１ｄに示すように、餌層をメッシュ層１３の真上に配置する。
上述した撮像装置２は、撮影機能付きスマートフォン、撮影機能付きタブレットコンピュータ、撮影機能デスクトップコンピュータ、スキャナ機能、または撮影機能用ノートパソコンであり、また、装置２には、画像解析・識別ソフトウェア２１が設けられている。  ここで、画像解析識別ソフトウェア２１は、接着剤層１２とダストダニとの間に対照的な色を提示する。
上述した画像解析及び識別ソフトウェア２１は、接着層１２の画像に対して、まず、画像に対して階調処理を行い、お互いの色を見つけて、画像の背景を取り除き、階調輝度を調整するマトリックスのサイズを計算する→塵ダニの位置を見つける→塵ダニの占有数を計算する→塵ダニの数と場所を統計する。
また、上述した画像解析・識別ソフトウェア２１は、撮像装置２に搭載されたモバイルアプリケーションプログラム（ＡＰＰ）であってもよい。モバイルアプリケーションプログラムの機能は、（１）粘着層画像解析：  （２）接着剤層画像分析および統計の画像：ステップ（１）に従って、パラメータ値を設定し、画像認識の基準値を定義し、基準値が取り込まれた画像上に現れる黒点または信号のサイズを表し、  （３）粘着層画像表示におけるダストダニ座標：（１）のマーキング結果によれば、粘着層の画像においてさらに選択して、粘着層画像内のゴミの色を選択することができる。特定の領域の黒点またはダストダニの信号の座標を計算する特定の領域。
図２は、本発明の第１の実施の形態の一例であり、本例の撮像装置２は、撮影機能を有するインテリジェントハンドセット３として説明されているが、本発明を限定するものではない。例えば、ユーザが撮影機能を有するスマートフォン３を使用する場合には、スマートフォン３において画像解析・識別ソフトウェア２１を直接インストールしてオンにすることができ、スマートフォン３を用いて粘着層１２やベイト層次いで、画像は画像解析および識別ソフトウェア２１にロードされ、最後に、画像解析および識別ソフトウェア３を使用して、接着層１２内にいくつのダニが存在するかを分析、分析および計数する。
図３を参照すると、本発明の第２の実施形態によるダストダニ装置１の捕捉および検出は、少なくとも基板１１および接着剤層１２を含む誘引層とともに使用される。接着層１２は、基材１１上に設けられ、顔料で着色されている。着色後の粘着剤層１２と塵埃ダニとを直接比較することにより、使用者は直接裸眼４を使用してダストダニの分布を見ることができる。
【実施例２】
【００１１】  本発明の第２の実施形態を捕捉して検出するための屋内塵性ダニ類の捕獲および検出計測装置装１は、着色後に粘着剤層１２の上に配置され、粘着剤層上に形成されたメッシュ層１３図１２に示すように、回収後のダストダニに引き寄せられ、直接除去される。ここで、メッシュ層１３はメッシュまたはガーゼであってもよい。
上記基板１１は、紙、布、不織布、合成板、フィルム、合成板、木材、プラスチックなどの材料で形成することができる。
前述の接着剤層１２は、接着剤接着剤表面層１２ａを含み接着剤は、合成接着剤または天然ゴムであり得る。接着剤層１２は、接着剤表面層１２ａの下に配置された着色フィルム層１２ｂを含み、これは接着剤層およびダストダニを異なる色にする働きをする。
上記の餌層１２１は、酵母、果実酵素、香辛料、糖類、デンプン、チョコレート、薪、飼料、フェロモンまたはフェロモンであり得る粉塵ダニ餌を含む。
そして、誘引層１２１は、図３ｂに示すように、接着剤層１２内に直接含まれてもよい。あるいは、図３ｃに示すように、餌層１２１をメッシュ層１３の真上に配置する。
（５）
本発明の第２実施形態に係る屋内塵性ダニ類の捕獲および検出計測装置装１は、カラーマッチング後の接着剤層２３の画像を撮像し、画像に階調処理を施す撮像装置３画像の背景を削除し、次にダニの数を見つけて数えます。
上述した撮像装置２は、撮影機能付きスマートフォン、撮影機能付きタブレットコンピュータ、撮影機能デスクトップコンピュータ、スキャナ機能、または撮影機能用ノートパソコンであり、また、装置２には、画像解析・識別ソフトウェア２１が設けられている。
上述した画像解析・識別ソフトウェア２１は、カラーマッチング後の接着層１２の画像に対して、画像の色を求めるための色階調処理を行い、画像の背景を除去し、階調輝度計算マトリックスのサイズを設定するダニの位置を見つけるダニの占有数を計算するダニの数と位置を統計する。
また、上述した画像解析・識別ソフトウェア２１は、撮像装置２に搭載されたモバイルアプリケーションプログラム（ＡＰＰ）であってもよい。モバイルアプリケーションプログラムの機能は、（１）粘着層画像解析：（２）接着剤層画像分析および統計の画像：ステップ（１）に従って、パラメータ値を設定し、画像認識の基準値を定義し、基準値が取り込まれた画像上に現れる黒点または信号のサイズを表し、  （３）粘着層画像表示におけるダストダニ座標：（１）のマーキング結果によれば、粘着層の画像においてさらに選択して、粘着層画像内のゴミの色を選択することができる。特定の領域の黒点またはダストダニの信号の座標を計算する特定の領域。
同時に、前述の例を統計的なダニの数と場所を分析することに加えて、ダニの数は、６０倍以上の拡大鏡、携帯電話のズーム、携帯用外部顕微鏡、光学顕微鏡または電子顕微鏡で観察することができるロケーション。
図４を参照すると、写真機能を有するインテリジェントハンドセット３の図である本発明の第２の実施形態の例示的な図解は、限定することを意図するものではなく、本発明を限定するものではない。例えば、ユーザが撮影機能を有するスマートフォン３を用いてカラーマッチング後の接着層１２及びベイト層を見ると、携帯電話をズームインさせて、カラーマッチング後の接着層１２の状態を直接観察することができる。
図５を参照すると、本発明の第３の実施形態は、ダニ駆除完了後、検出キットにより検出キットを検出することができ、メッシュ除去後のダニ除去装置１０を液体又はゼラチン色試薬５は、接着剤層１２上に均一に塗布された後、透明基板５１に挟まれ、５０〜７０℃で１０分間、または室温で３〜１０日間加熱される。呈色試薬の組成は、アミンブラック、ジメチルアセトアミド、天然架橋剤、ヨウ素、ロイコクリスタルバイオレット、ニンヒドリン、オスミウム、スーダンブラック、１，８−ジアゼピン−９−フルオレン  ケトン、１，２−インダンジオン、５−メチルチオインデノロンを含み、ほこりのダニを捕獲すると、それは染色され、肉眼で容易に視覚化および解釈することができる図６（ａ）及び図６（ｂ）は、第３の実施の形態におけるメッシュ除去後の
0003216002.tif 000003
のダストダイトは図形の背景色と同様であり、染色後に図６（ｂ）の汚れたダニを明確に視認することができる。
上述した実施形態は、本発明を説明するための最良の形態であり、本発明の範囲がこれに限定されるものではない。本発明に基づいて当業者によってなされた等価な置換または改変はいずれも本発明の範囲内である。本発明の範囲は特許請求の範囲によって規定される．
【符号の説明】
【００１２】１      ダストダニ装置の捕捉と検出
１０    布の後にダニを取り除く。
１１    基板；
１２    接着層；
１２１  餌層；接着剤表面コーティング
１２ｂ  カラーフィルム層
１３    メッシュ層；
２      画像キャプチャ装置。
２１    画像解析および同定ソフトウェア；
３      つのスマートフォン；
４      肉眼
５      色のアクセサリー；
５１    透明基板。
【図１】
0003216002.tif 000004
【図１ａ】
0003216002.tif 000005
0003216002.tif 000006
0003216002.tif 000007
0003216002.tif 000008
0003216002.tif 000009
0003216002.tif 000010
0003216002.tif 000011
0003216002.tif 000012
0003216002.tif 000013
0003216002.tif 000014
0003216002.tif 000015
0003216002.tif 000016
【手続補正書】
【提出日】平成29年8月29日(2017.8.29)
【手続補正１】
【補正対象書類名】明細書
【補正対象項目名】０００２
【補正方法】変更
【補正の内容】
【０００２】屋内塵性ダニ類の学術名Ｄｅｒｍａｔｏｐｈａｇｏｉｄｅｓ  ｐｔｅｒｏｎｙｓｓｉｎｕｓ（日本名：ヤケヒョウヒダニ）は節足動物門鋏角亜門クモ綱ダニ目に属し、大きさが約３００ミクロンであり、アメリカの家ダニはＤｅｒｍａｔｏｐｈａｇｏｉｄｅｓ  ｆａｒｉｎａｅ（日本名：コナヒョウダニ）が多く、欧州の家ダニは、Ｄｅｒｍａｔｏｐｈａｇｏｉｄｅｓ  ｐｔｅｒｏｎｙｓｓｉｎｕｓ（ヤケヒョウヒダニ）が多い。ダニの分泌物、排泄物、等による人体への影響は、容易にくしゃみ、喘息、鼻水、鼻づまり、アレルギー反応、アレルギー性結膜炎、またはアトピー性皮膚炎をもたらし、空気中に拡散される最も重要なアレルギー因子の１つである。
【手続補正２】
【補正対象書類名】明細書
【補正対象項目名】０００８
【補正方法】変更
【補正の内容】
【０００８】
【図１】本考案の第１の実施例の全体概略図である。
【図１ａ】本考案の第１の実施例によるメッシュ層を有する全体構造の概略図である。
【図１ｂ】本考案の第１の実施例による接着剤表面層および着色フィルム層を有する全体的な粘着層構造の概略図である。
【図１ｃ】本考案の第１の実施例の誘引餌層と粘着層の全体構造の概略図である。
【図１ｄ】本考案の第１の実施例において、メッシュ層上に配置された誘引餌層の全体構造の概略図である。
【図２】本考案の第１の実施例の例示的な概略図である。
【図３】本考案の第２の実施例の全体概略図である。
【図３ａ】本考案の第２の実施例によるメッシュ層を有する全体構造の概略図である。
【図３ｂ】本考案の第２の実施例の誘引餌層と粘着層の全体構造の概略図である。
【図３ｃ】本考案の第２の実施例に配置された誘引餌層の上にメッシュ層が構成された全体構造の概略図である。
【図４】本考案の第２の実施例の模式図である。
【図５】本考案の第３の実施例に係るメッシュ層剥離後のダニ除去措置と捕獲検出キットを示す図である。
【図６ａ】本考案の第３の実施例の染色前のダニの模式図である。
【図６ｂ】本考案の第３の実施例の染色後のダニの模式図である。
【手続補正３】
【補正対象書類名】明細書
【補正対象項目名】００１０
【補正方法】変更
【補正の内容】
【００１０】  図１に示すように、本考案の第１の実施例に係る屋内塵性ダニ類の捕獲および検出計測装置１は、少なくとも基板１１と、粘着層１２と、誘引餌層１２１と画像読取装置２で併用される。粘着層１２を基板１１の上方に設け、画像読取装置２を用いて粘着層１２の画像を撮像し、画像に階調処理を施し、最後に画像の背景の除去を行ってダニの数を統計する。本考案の第１の実施例による装置１の捕獲及び検出は、粘着層１２の上に配置され粘着層１２内にダニを引き付けるメッシュ層１３を図１ａに示すように、さらに含むことができる。ここで、メッシュ層１３はメッシュまたはガーゼであってもよい。
上記基板１１は、紙、布、不織布、合成板、フィルム、木材、プラスチックなどの材料で形成することができる。
前述の粘着層１２は、接着剤表面層１２ａを含み、接着剤は、合成接着剤または天然ゴムであってもよい。粘着層１２はまた、図１ｂに示すように、接着剤層とダニの色を異なる色にするように作用する接着剤の接着剤表面層１２ａの下に配置された着色フィルム層１２ｂを含む。上記の誘引餌層１２１の餌は、酵母、果物の酵素、香辛料、糖類、デンプン、チョコレート、干魚、動物飼料、フェロモンであってもよい。そして、図１ｃに示すように、誘引餌層１２１を粘着層１２に直接混合することができる。または、図１ｄに示すように、誘引餌層１２１をメッシュ層１３の真上に配置することができる。上述した画像読取装置２は、撮影機能付きスマートフォン、撮影機能付きタブレットコンピュータ、撮影機能デスクトップコンピュータ、スキャナー、または撮影機能用ノートパソコンであり、また、画像読取装置２には、画像解析識別ソフトウェア２１が設けられている。ここで、画像解析識別ソフトウェア２１は、粘着層１２とダニとの間に対照的な色を提示する。上述した画像解析識別ソフトウェア２１は、粘着層１２の画像に対して階調処理を行い→お互いの色を見つけて→画像の背景を取り除き→階調輝度を調整→マトリックスのサイズを計算する→ダニの位置を見つける→ダニの占有数を計算する→ダニの数と場所を統計する。
また、上述した画像解析識別ソフトウェア２１は、画像読取装置２に搭載されたモバイルアプリケーションプログラム（ＡＰＰ）であってもよい。モバイルアプリケーションプログラムの機能は、（１）粘着層画像解析：（２）接着剤層画像解析および統計：ステップ（１）に従って、パラメータ値を設定し、画像認識の基準値を定義し、基準値が取り込まれた画像上に現れる黒点または信号のサイズを表し、（３）粘着層画像表示におけるダニの座標を示す：（１）のマーキング結果によれば、粘着層の画像においてさらに選択して、粘着層画像内のゴミの色を選択することができ、特定の領域の黒点またはダニの信号の座標を計算する。
図２は、本考案の第１の実施例の一例であり、本例の画像読取装置２は、撮影機能を有するスマートフォン３として説明されているが、本考案を限定するものではない。例えば、ユーザが撮影機能を有するスマートフォン３を使用する場合には、スマートフォン３において画像解析識別ソフトウェア２１を直接インストールしてオンにすることができ、スマートフォン３を用いて粘着層１２の画像は画像解析識別ソフトウェア２１にロードされ、最後に、画像解析識別ソフトウェア２１を使用して、粘着層１２内にいくつのダニが存在するかを分析および計数する。
図３は、本考案の第２の実施例による装置１の捕獲および検出は、少なくとも基板１１および粘着層１２を含む誘引餌層１２１とともに使用される。粘着層１２は、基材１１上に設けられ、顔料で着色されている。該着色済粘着層１２とダニとを直接比較することにより、使用者は直接裸眼４を使用してダニの分布を見ることができる。
【手続補正４】
【補正対象書類名】明細書
【補正対象項目名】００１１
【補正方法】変更
【補正の内容】
【００１１】図３ａは、本考案の第２の実施例を示す屋内塵性ダニ類の捕獲および検出計測装置１である。前記着色済粘着層１２の上に配置され、粘着層１２上に形成されたメッシュ層１３は、ダニ回収後、直接剥離される。ここで、メッシュ層１３はメッシュまたはガーゼであってもよい。上記基板１１は、紙、布、不織布、合成板、フィルム、木材、プラスチックなどの材料で形成することができる。前述の着色済粘着層１２は、接着剤表面層１２ａを含み接着剤は、合成接着剤または天然ゴムであり得る。着色済粘着層１２は、接着剤表面層１２ａの下に配置された着色フィルム層１２ｂを含み、これは接着剤層とダニを異なる色にする働きをする。
上記の誘引餌層１２１の餌は、酵母、果実酵素、香辛料、糖類、デンプン、チョコレート、薪、飼料、フェロモンであっても良い。そして、誘引餌層１２１は、図３ｂに示すように、前記着色済粘着層１２内に直接含まれてもよい。あるいは、図３ｃに示すように、誘引餌層１２１をメッシュ層１３の真上に配置する。
本考案の第２の実施例に係る屋内塵性ダニ類の捕獲および検出計測装置１において、着色済粘着層１２の画像を撮像し画像をカラーマッチングし階調処理を施す画像読取装置２は、画像の背景を削除し、次にダニの数を見つけて数える。
上述した画像読取装置２は、撮影機能付きスマートフォン、撮影機能付きタブレットコンピュータ、撮影機能デスクトップコンピュータ、スキャナー、または撮影機能用ノートパソコンであり、また、画像読取装置２には、画像解析識別ソフトウェア２１が設けられている。上述した画像解析識別ソフトウェア２１は、カラーマッチング後の着色済粘着層１２の画像に対して、画像の色を求めるための色階調処理を行う→画像の背景を除去→階調輝度計算→マトリックスのサイズを設定→ダニの位置を見つける→ダニの占有数を計算→ダニの数と位置を統計する。
また、上述した画像解析識別ソフトウェア２１は、画像読取装置２に搭載されたモバイルアプリケーションプログラム（ＡＰＰ）であってもよい。モバイルアプリケーションプログラムの機能は、（１）着色済粘着層画像解析：（２）粘着層画像解析および統計の画像：ステップ（１）に従って、パラメータ値を設定し、画像認識の基準値を定義し、基準値が取り込まれた画像上に現れる黒点または信号のサイズを表し、（３）粘着層画像表示におけるダニの座標を示す：（１）のマーキング結果によれば、着色済粘着層の画像においてさらに選択して、粘着層画像内のゴミの色を選択することができる。特定の領域の黒点またはダニの信号の座標を計算する。
同時に、前述のように統計的なダニの数と場所を分析することに加えて、ダニの数は、６０倍以上の拡大鏡、携帯電話のズーム、携帯用外部顕微鏡、光学顕微鏡または電子顕微鏡で観察することができる。図４においては、写真機能を有するスマートフォン３の図である本考案の第２の実施例の例示的な図解は、限定することを意図するものではなく、本考案を限定するものではない。例えば、ユーザが撮影機能を有するスマートフォン３を用いてカラーマッチング後の着色済粘着層１２及び基材１１を見ると、携帯電話をズームインさせて、カラーマッチング後の着色済粘着層１２の状態を直接観察することができる。図５に示すように、本考案の第３の実施例は、ダニ捕獲完了後、検出キットにより検出することができ、メッシュ剥離後のダニ除去装置１０を液体又はゼラチン色の呈色試薬５で、粘着層１２上に均一に塗布した後、透明基板５１に挟み、５０〜７０℃で１０分間、または室温で３〜１０日間加熱される。呈色試薬の組成は、アミンブラック、ジメチルアセトアミド、天然架橋剤、ヨウ素、ロイコクリスタルバイオレット、ニンヒドリン、オスミウム、スーダンブラック、１，８−ジアゼピン−９−フルオレンケトン、１，２−インダンジオン、５−メチルチオインデノロンを含み、ダニを捕獲すると、それは染色され、肉眼で容易に視覚化および解釈することができる図６（ａ）及び図６（ｂ）は、第３の実施例におけるメッシュ剥離後のダニ除去装置１０の染色結果を示し、図６（ａ）に示すように、図６（ａ）のダ二は図形の背景色と同様であり、染色後に図６（ｂ）のようにダニを明確に視認することができる。
上述した実施例は、本考案を説明するための最良の形態であり、本考案の範囲がこれに限定されるものではない。本考案に基づいて当業者によってなされた等価な置換または改変はいずれも本考案の範囲内である。本考案の範囲は特許請求の範囲によって規定される。
【手続補正５】
【補正対象書類名】明細書
【補正対象項目名】００１２
【補正方法】変更
【補正の内容】
【００１２】１      ダニ捕獲および検出計測装置
１０    ダニ除去装置
１１    基板
１２    粘着層
１２１  誘引餌層
１２ａ  接着剤表面層
１２ｂ  着色フィルム層
１３    メッシュ層
２      画像読取装置
２１    画像解析識別ソフトウェア
３      スマートフォン
４      肉眼
５      呈色試薬
５１    透明基板
【手続補正６】
【補正対象書類名】図面
【補正対象項目名】全図
【補正方法】変更
【補正の内容】
【図１】
0003216002.tif 000017
【図１ａ】
0003216002.tif 000018
【図１ｂ】
0003216002.tif 000019
【図１ｃ】
0003216002.tif 000020
【図１ｄ】
0003216002.tif 000021
【図２】
0003216002.tif 000022
【図３】
0003216002.tif 000023
【図３ａ】
0003216002.tif 000024
【図３ｂ】
0003216002.tif 000025
【図３ｃ】
0003216002.tif 000026
【図４】
0003216002.tif 000027
【図５】
0003216002.tif 000028
【図６ａ】
0003216002.tif 000029
【図６ｂ】
0003216002.tif 000030
【手続補正書】
【提出日】平成29年12月21日(2017.12.21)
【手続補正１】
【補正対象書類名】実用新案登録請求の範囲
【補正対象項目名】全文
【補正方法】変更
【補正の内容】
【実用新案登録請求の範囲】
【請求項１】
屋内塵性ダニ類を捕獲して検出計測するための装置であって、屋内塵性ダニ類装置の捕獲および検出計測が、基材シートに接着した粘着シートの上に捕獲した屋内塵性ダニ類によって色が変わる薄膜層（フイルム）を含んだ粘着層と、該粘着層画像を読取るダニ検出計測装置と組合せたことを特徴とする装置。
【請求項２】
前記粘着層の上に着脱自在に配置されたメッシュ層をさらに含む、請求項１に記載の屋内塵性ダニ類の捕獲および検出計測装置。
【請求項３】
前記メッシュ層がネットまたはガーゼであることを特徴とする、請求項２に記載の屋内塵性ダニ類の捕獲および検出計測装置。
【請求項４】
屋内塵性ダニ類の誘引餌層をさらに備える、請求項１、２または３に記載の屋内塵性ダニ類の捕獲および検出計測装置。
【請求項５】
前記誘引餌層がメッシュ層の上に配置されていることを特徴とする請求項４に記載の屋内塵性ダニ類の捕獲および検出計測装置。
【請求項６】
前記誘引餌層が前記粘着層内に配置されていることを特徴とする請求項４または５に記載の屋内塵性ダニ類の捕獲および検出計測装置。
【請求項７】
前記誘引餌層が、酵母、果実酵素、香料、砂糖、デンプン、チョコレート、干魚、動物飼料、群フェロモンまたはそれらの混合物であることを特徴とする請求項４に記載の屋内塵性ダニ類の捕獲および検出計測装置。
【請求項８】
請求項１に記載の基材シートが、紙、布、不織布、合成板、フィルム、木材、合成樹脂またはプラスチックなどの材料で形成されていることを特徴とする請求項１に記載の屋内塵性ダニ類の捕獲および検出計測装置。
【請求項９】
請求項１に記載の粘着シートの接着剤が、合成接着剤または天然ゴムである接着剤であることを特徴とする請求項１に記載の屋内塵性ダニ類の捕獲および検出計測装置
【請求項１０】
請求項１に記載の粘着層画像を読取るダニ検出計測装置の撮像する撮像手段が、撮影機能付きスマートフォン、撮影機能付きタブレットコンピュータ、撮影機能を備えたコンピュータ、スキャナまたは撮影機能を備えたノートパソコンとデスクトップパソコンであることを特徴とする請求項１に記載の屋内塵性ダニ類の捕獲および検出計測装置
【請求項１１】
請求項１に記載の粘着層が天然染料と水との混合液を塗布することで捕獲した屋内塵性ダニ類の色が変わる薄膜層で構成したことを特徴とする請求項１に記載の屋内塵性ダニ類の捕獲および検出計測装置
【請求項１２】
請求項１０に記載の粘着層画像を読取るダニ検出計測装置に画像解析識別ソフトウェアが搭載されていることを特徴とする請求項１に記載の屋内塵性ダニ類の捕獲および検出計測装置。
【請求項１３】
前記画像解析識別ソフトウェアがモバイルアプリケーション（ＡＰＰ）であることを特徴とする、請求項１２に記載の屋内塵性ダニ類の捕獲および検出計測装置。
【請求項１４】
前記モバイルアプリケーションの機能が請求項１に記載の粘着層によって発色捕獲した屋内塵性ダニ類の計測統計結果と座標表示結果を提示することを特徴とした請求項１３に記載の屋内塵性ダニ類の捕獲および検出計測装置。
【請求項１５】
屋内塵性ダニ類を捕獲し検知計測する別の組合せとして、屋内塵性ダニ類捕獲のために使用した前記粘着層に別途着色剤を用意塗布して屋内塵性ダニ類を発色させることを特徴とする請求項１に記載の屋内塵性ダニ類の捕獲および検出計測装置。
【請求項１６】
前記着色剤の組成物が、アミンブラック、ジメチルアセトアミド、天然架橋剤、ヨウ素、ロイコクリスタルバイオレット、インデン、トリアン、オスミウム、スーダンブラック、１，８‐ジアゼピン−９−フルオレノン、１，２−インダンジオン及び５−メチルチオインダノンを特徴とする請求項１５に記載の屋内塵性ダニ類の捕獲および検出計測装置。
【請求項１７】
前記着色剤が、液状又はゼラチン状の液体であることを特徴とする請求項１５に記載の屋内塵性ダニ類の捕獲および検出計測装置。
【請求項１８】
請求項１５記載の屋内塵性ダニ類捕獲し検知計測する別の組合せに屋内塵性ダニ類捕獲のために使用した前記粘着層の片面あるいは両面に貼付された透明基材をさらに含む、請求項１５に記載の屋内塵性ダニ類の捕獲および検出計測装置。